(57)【要約】      （修正有）【課題】共通の回路基板及び枠体を用いることによって、仕様の異なる高周波機器を安価にて提供する。【解決手段】高周波機器は回路基板３２を有し、回路基板３２の第１導体部３４及び第２導体部３６の各々は、第１同軸コネクタ２４及び第２同軸コネクタ２６のうち近い方と接続されている。枠体１８は、回路基板３２の第１の面が、第１カバーを向くように配置される第１配置、及び、回路基板３２の第２の面が第１カバーを向くように枠体１８の内側に配置される第２配置を許容する形状を有する。第１同軸コネクタ２４と第２同軸コネクタ２６との中間点、及び、第１導体部３４と第２導体部３６との中間点は、枠体１８の側面の長手方向の中心にそれぞれ位置している。【選択図】図５
2011135024.tif 000002
【特許請求の範囲】
【請求項１】
一辺側に設けられ且つ前記一辺の長手方向に相互に離間した第１導体部及び第２導体部を有する回路基板と、
前記回路基板を囲む金属製の枠体と、
前記枠体の第１の開口及び第２の開口をそれぞれ閉塞する金属製の第１カバー及び第２カバーと、
前記枠体の前記第２の開口側に一体に設けられ、外部のセット基板に対して前記第２カバーが対向した状態で固定可能な少なくとも１つの突起と、
前記枠体の一つの側面から外側に向かって突出し、前記回路基板の一辺に沿う前記側面の長手方向にて相互に離間した第１同軸コネクタ及び第２同軸コネクタとを備え、
前記第１導体部及び第２導体部の各々は、前記第１同軸コネクタ及び第２同軸コネクタのうち近い方と接続され、
前記枠体は、前記回路基板の第１の面が、前記第１カバーを向くように配置される第１配置、及び、前記回路基板の第２の面が前記第１カバーを向くように前記枠体の内側に配置される第２配置を許容する形状を有し、
前記第１同軸コネクタと前記第２同軸コネクタとの中間点、及び、前記第１導体部と前記第２導体部との中間点は、前記側面の長手方向の中心にそれぞれ位置している
ことを特徴とする高周波機器。
【請求項２】
前記第１配置と前記第２配置とでは、前記回路基板の厚さ方向における、前記枠体に対する前記回路基板の相対的な位置が異なり、
前記枠体は、
前記枠体の内側に向かって突出し、前記第１配置では前記回路基板に当接して前記枠体に対する前記回路基板の相対的な位置を規定する第１位置決め部と、
前記枠体の内側に向かって突出し、前記第２配置では前記回路基板に当接して前記枠体に対する前記回路基板の相対的な位置を規定する第２位置決め部とを有し、
前記回路基板は、
前記第１配置にて前記枠体の内側に前記回路基板が配置されるとき、前記第２位置決め部の通過を許容するとともに、前記第２配置にて前記枠体の内側に前記回路基板が配置されるとき、前記第１位置決め部の通過を許容する切欠き部を有する
ことを特徴とする請求項１に記載の高周波機器。
【請求項３】
前記回路基板は、前記回路基板の厚さ方向にて前記第１同軸コネクタ及び第２同軸コネクタのリード部が投影される領域にスリットを有する
ことを特徴とする請求項２に記載の高周波機器。
【発明の詳細な説明】
【技術分野】
【０００１】
本発明は高周波機器に係わり、外部との高周波信号の受け渡しのための少なくとも２つの同軸コネクタを有する高周波機器に関する。
【背景技術】
【０００２】
テレビチューナ等の高周波機器は、回路基板と、回路基板を覆うシールドケースとを有する。シールドケースは、回路基板を囲む枠体と、枠体の開口を覆う蓋材とからなる。
枠体の一つの側面からは、高周波信号の入出力のための同軸コネクタが突出しており、２つの同軸コネクタが並列に設けられているものもある。
【０００３】
この種の高周波機器として、特許文献１が開示する電子機器は、２つの開口の形状が同じ枠体を有し、蓋体を入れ替えることによって、設置方法を複数選択可能である。換言すれば、回路基板とともに枠体の向きを変えることによって、設置方法を複数選択可能である。
【先行技術文献】
【特許文献】
【０００４】
【特許文献１】特開２００７−５４６９号公報
【発明の概要】
【発明が解決しようとする課題】
【０００５】
高周波機器の仕様については、ユーザから様々な要望が寄せられる。例えば、伏せ型の高周波機器に関して、２つの同軸コネクタの機能を入れ替えたいという要望が寄せられることがある。
この要望に応えるにあたって、伏せ型の高周波機器の枠体には、セット基板に固定するための突起（脚部）が設けられており、特許文献１が開示する技術のように、枠体の向きを入れ替えることはできない。
【０００６】
一方、従来のように、同軸コネクタの機能を入れ替えるために、高周波の電気信号を処理する回路基板の設計を変更する場合、時間及び費用がかかってしまう。あるいは、枠体の向きを替えられるように枠体の設計を変更する場合も、時間及び費用がかかってしまう。特に枠体の成形に用いられる金型は高価であり、枠体の設計変更には多額の費用がかかる。
【０００７】
本発明は上記した事情に鑑みてなされ、その目的とするところは、共通の回路基板及び枠体を用いることによって、仕様の異なる高周波機器を安価にて提供することにある。
【課題を解決するための手段】
【０００８】
上記の課題を解決するため、本発明は以下の解決手段を採用する。
【０００９】
解決手段１：本発明の一態様によれば、一辺側に設けられ且つ前記一辺の長手方向に相互に離間した第１導体部及び第２導体部を有する回路基板と、前記回路基板を囲む金属製の枠体と、前記枠体の第１の開口及び第２の開口をそれぞれ閉塞する金属製の第１カバー及び第２カバーと、前記枠体の前記第２の開口側に一体に設けられ、外部のセット基板に対して前記第２カバーが対向した状態で固定可能な少なくとも１つの突起と、前記枠体の一つの側面から外側に向かって突出し、前記回路基板の一辺に沿う前記側面の長手方向にて相互に離間した第１同軸コネクタ及び第２同軸コネクタとを備え、前記第１導体部及び第２導体部の各々は、前記第１同軸コネクタ及び第２同軸コネクタのうち近い方と接続され、前記枠体は、前記回路基板の第１の面が、前記第１カバーを向くように配置される第１配置、及び、前記回路基板の第２の面が前記第１カバーを向くように前記枠体の内側に配置される第２配置を許容する形状を有し、前記第１同軸コネクタと前記第２同軸コネクタとの中間点、及び、前記第１導体部と前記第２導体部との中間点は、前記側面の長手方向の中心にそれぞれ位置していることを特徴とする高周波機器が提供される。
【００１０】
解決手段１の高周波機器においては、枠体が回路基板を第１配置及び第２配置の２通りの配置にて収容可能である。そして、第１同軸コネクタと第２同軸コネクタとの中間点、及び、第１導体部と第２導体部との中間点は、側面の長手方向の中心に位置している。
これらの中間点の位置関係に基づいて、第１配置と第２配置とでは、側面の長手方向でみて、２つの同軸コネクタと回路基板の２つの導体部との相対的な位置関係が変化しない。このため、第１配置及び第２配置の何れにおいても、２つの導体部が、２つの同軸コネクタのうちの自身と近接する方に確実且つ容易に接続される。
従って、この高周波機器では、第１配置及び第２配置のうちいずれを選択するかによって、２つの同軸コネクタに付与する機能が決定され、仕様が容易に変更される。そして、共通の回路基板及び枠体を用いることによって、回路基板や枠体を新たに設計するための時間及び費用がかからず、仕様の異なる高周波機器が安価にて提供される。
【００１１】
解決手段２：好ましくは、前記第１配置と前記第２配置とでは、前記回路基板の厚さ方向における、前記枠体に対する前記回路基板の相対的な位置が異なり、前記枠体は、前記枠体の内側に向かって突出し、前記第１配置では前記回路基板に当接して前記枠体に対する前記回路基板の相対的な位置を規定する第１位置決め部と、前記枠体の内側に向かって突出し、前記第２配置では前記回路基板に当接して前記枠体に対する前記回路基板の相対的な位置を規定する第２位置決め部とを有し、前記回路基板は、前記第１配置にて前記枠体の内側に前記回路基板が配置されるとき、前記第２位置決め部の通過を許容するとともに、前記第２配置にて前記枠体の内側に前記回路基板が配置されるとき、前記第１位置決め部の通過を許容する切欠き部を有する。
【００１２】
解決手段２の高周波機器では、第１配置のときには、枠体の第１位置決め部が回路基板に当接するとともに、回路基板の切欠き部が、枠体の第２位置決め部の通過を許容する。一方、第２配置のときには、枠体の第２位置決め部が回路基板に当接するとともに、回路基板の切欠き部が、枠体の第１位置決め部の通過を許容する。
回路基板には、通常、第１の面及び第２の面のうち何れか一方に大型の電気部品が実装される。第１配置と第２配置とで、回路基板の厚さ方向での枠体に対する回路基板の相対的な位置を変えれば、第１カバーと第２カバーとの間の空間が狭くても、当該空間が有効に活用され、回路基板と第１カバー又は第２カバーとの間に大型の電気部品を収容するための空間が確保される。
従って、この高周波機器によれば、同一の回路基板及び枠体を用いながら、回路基板の厚さ方向での枠体の大型化が防止され、高周波機器の大型化が防止される。
【００１３】
解決手段３：好ましくは、前記回路基板は、前記回路基板の厚さ方向にて前記第１同軸コネクタ及び第２同軸コネクタのリード部が投影される領域にスリットを有する。
解決手段３の高周波機器では、第１同軸コネクタ及び第２同軸コネクタのリード部が投影される回路基板の領域にスリットが設けられている。このため、第１同軸コネクタ及び第２同軸コネクタが枠体に予め取り付けられた状態で、枠体内に回路基板を設置するとき、スリットが第１同軸コネクタ及び第２同軸コネクタのリード部の通過を許容する。このため、この高周波機器の組立作業の自由度は高く、高周波機器が容易に組み立てられる。
【発明の効果】
【００１４】
本発明によれば、共通の回路基板及び枠体を用いることによって、仕様の異なる高周波機器が安価にて提供される。
【図面の簡単な説明】
【００１５】
【図１】第１実施形態に係るテレビチューナを概略的に示す斜視図である。
【図２】図１のテレビチューナを分解して示す概略的な斜視図である。
【図３】図２中の回路基板を拡大して示す斜視図である。
【図４】図２中の枠体を拡大して示す斜視図である。
【図５】図４の枠体内に回路基板が配置された状態を示す概略的な平面図である。
【図６】図５中のＶＩ−ＶＩ線に沿う概略的な断面図である。
【図７】第２実施形態に係るテレビチューナを概略的に示す斜視図である。
【図８】第２実施形態に用いられた回路基板を概略的に示す斜視図である。
【図９】図７のテレビチューナを分解して示す概略的な斜視図である。
【図１０】枠体内に図９の回路基板が配置された状態を示す概略的な平面図である。
【図１１】図１０中のＸＩ−ＸＩ線に沿う断面図である。
【図１２】第３実施形態に係る回路基板を示す概略的な斜視図である。
【図１３】第４実施形態に係る回路基板を示す概略的な斜視図である。
【図１４】変形例に係る第１同軸コネクタ及び第２同軸コネクタのリード部及びその近傍の概略的な部分断面図である。
【発明を実施するための形態】
【００１６】
以下、本発明の実施形態について図面を参照しながら説明する。
〔第１実施形態〕
図１は、第１実施形態に係る高周波機器としてのテレビチューナ１０を概略的に示す斜視図である。テレビチューナ１０は、例えば液晶テレビ等の薄型の画像表示装置に内蔵され、画像表示装置のセット基板に実装される。
【００１７】
テレビチューナ１０は、扁平な箱形状の筐体１２を有する。筐体１２の高さ方向に相互に対向する広い面は、金属製の上カバー１４及び下カバー１６によって構成され、筐体１２の４つの側面は、金属製の枠体１８によって構成されている。上カバー１４及び下カバー１６は枠体１８にそれぞれ固定され、上カバー１４、下カバー１６及び枠体１８は、１つの筐体１２を構成している。
【００１８】
枠体１８の下カバー１６側の４隅には突起２０が一体に設けられ、突起２０は、筐体１２の高さ方向に突出している。テレビチューナ１０をセット基板に固定するとき、下カバー１６がセット基板に沿うように配置され、突起２０は、セット基板に設けられた孔に挿入され、孔を囲む接地電極に半田付けされる。従って、筐体１２は、シールドケースとしての機能を有する。
【００１９】
また、下カバー１６からは、複数の端子２２が筐体１２の高さ方向に突出している。端子２２は、画像表示装置のセット基板に設けられたコネクタに接続される。端子２２は、例えば、テレビチューナ１０への選局等のための制御信号の入力、電力供給、及び、テレビチューナ１０からの中間周波数信号等の出力などに供される。
なお、テレビチューナ１０の型式は、端子２２が右に片寄っているので、右伏せ型とも称される。
【００２０】
更に、枠体１８の一の側面からは、高周波用の第１同軸コネクタ２４及び第２同軸コネクタ２６が突出している。
第１同軸コネクタ２４は、アンテナ入力端子であり、外部のアンテナと同軸ケーブルを介して電気的に接続される。
【００２１】
第２同軸コネクタ２６は、Ｌ／Ｔ端子（ループ伝送端子）であり、外部のテレビ等と同軸ケーブルを介して電気的に接続される。第２同軸コネクタ２６は、第１同軸コネクタ２４に入力された信号をそのまま出力し、テレビ等に供給する。
なお、第１同軸コネクタ２４及び第２同軸コネクタ２６は、テレビチューナ１０が画像表示装置に設置された状態で表出しており、例えば、左右に並んで配置されている。
【００２２】
図２は、テレビチューナ１０を分解して示す概略的な斜視図である。
枠体１８は、平面でみて四角形状を有し、４つの長方形の側面によって構成されている。枠体１８は、筐体１２の高さ方向両側に開口を有しており、上カバー１４及び下カバー１６は、枠体１８の開口を塞いでいる。ただし、下カバー１６には、端子２２を通すための開口２８が設けられている。
端子２２の基端部はコネクタブロック３０に固定され、コネクタブロック３０は回路基板３２の一方の面（第１の面）に実装されている。なお、端子２２は、回路基板３２を貫通している。
【００２３】
回路基板３２は、枠体１８の開口の形状よりも若干小さい略四角形の平面形状を有し、筐体１２の内部、則ち枠体１８の内側に、上カバー１４及び下カバー１６に対し平行になるように設置される。図３に拡大して示したように、回路基板３２の第１の面には、第１同軸コネクタ２４から電気信号を受け取るため導体部（ランド部）３４、及び、第２同軸コネクタ２６に電気信号を渡すための導体部３６が形成されている。そして、回路基板３２の第１の面には、受信回路を構成するために、ＩＣチップ３８等の電気部品等が実装されている。
【００２４】
更に、回路基板３２には、例えば３つの切欠き部４０ａ，４０ｂ，４０ｃが形成されている。３つの切欠き部４０ａ，４０ｂ，４０ｃは、例えば、平面でみたときに矩形形状を有し、回路基板３２の３つの辺縁において、各辺の長手方向中心から外れた位置にそれぞれ形成されている。なお、以下では、切欠き部４０ａ，４０ｂ，４０ｃをまとめて切欠き部４０ともいう。
【００２５】
図４に示したように、枠体１８は４つの側面を有し、枠体１８の１つの側面に、第１同軸コネクタ２４及び第２同軸コネクタ２６を取り付けるための取付孔４２，４４が形成されている。第１同軸コネクタ２４及び第２同軸コネクタ２６の外部導体の端部が、かしめ加工によって取付孔４２，４４に嵌合させられる。
【００２６】
また、枠体１８には、例えば、６つの突出部４６ａ，４６ｂ，４６ｃ，４６ｄ，４６ｅ，４６ｆが一体に形成されている。以下では、突出部４６ａ，４６ｂ，４６ｃ，４６ｄ，４６ｅ，４６ｆをまとめて突出部４６ともいう。
突出部４６は、切り起こしによって構成されており、枠体１８の内側に向かって、枠体１８の開口と平行に突出している。突出部４６のうち、３つの突出部４６ａ，４６ｃ，４６ｅが、筐体１２の高さ方向でみて、同じ高さに位置している。また、３つの突出部４６ｂ，４６ｄ，４６ｆが、３つの突出部４６ａ，４６ｃ，４６ｅとは異なる高さにて、同じ高さに位置している。
【００２７】
図５に示したように、平面でみたときに、枠体１８の突出部４６ａ，４６ｃ，４６ｅの位置は、回路基板３２の切欠き部４０ａ，４０ｂ，４０ｃの内側に位置している。従って、回路基板３２を枠体１８の内側に配置するとき、切欠き部４０ａ，４０ｂ，４０ｃは、突出部４６ａ，４６ｃ，４６ｅの通過を許容する。
【００２８】
一方、図６に示したように、回路基板３２は、枠体１８の突出部４６ｂ，４６ｄ，４６ｆに対し当接している。つまり、筐体１２の高さ方向での回路基板３２の位置は、突出部４６ｂ，４６ｄ，４６ｆによって決定されており、突出部４６ｂ，４６ｄ，４６ｆが１組の位置決め部を構成している。
そして、例えば、回路基板３２を突出部４６ｂ，４６ｄ，４６ｆに対し半田付けすることによって、回路基板３２は枠体１８に固定される。また、第１同軸コネクタ２４のリード部２４ａ及び第２同軸コネクタ２６のリード部２６ｂは、導体部３４，３６にそれぞれ半田付けされる。なお、半田付けされる回路基板３２の部分には、接地電極としてのランド部（図示せず）が設けられている。
【００２９】
ここで、再び図５を参照すると、左右方向、つまり、枠体１８の側面の長手方向における、第１同軸コネクタ２４と第２同軸コネクタ２６との間の中間点は、導体部３４と導体部３６との間の中間点に合致している。換言すれば、第１同軸コネクタ２４と第２同軸コネクタ２６、及び、導体部３４と導体部３６は、側面の長手方向中心に関して左右対称（鏡映対称）に配置されている。
【００３０】
〔第２実施形態〕
図７は、第２実施形態に係る高周波機器としてのテレビチューナ５０を概略的に示す斜視図である。なお、第１実施形態のテレビチューナ１０と同一の構成については、同じ符号を付して説明を省略する。
テレビチューナ５０は、端子２２が左に片寄った位置にて突出している左伏せ型である点において、テレビチューナ１０と異なっている。
【００３１】
具体的には、図８及び図９に示したように、テレビチューナ５０の回路基板３２は、テレビチューナ１０と比べて、端子２２及びコネクタブロック３０を除いて上下が逆にされている。端子２２が回路基板３２を貫通する位置は、テレビチューナ１０と同じであり、このため端子２２が左に寄っている。
【００３２】
図１０示したように、第１実施形態と比べて、回路基板３２は、左右方向に直交する奥行き方向に平行な回転軸に関して回転させられ、上下逆にされている。
この結果として、平面でみて、突出部４６ｂ，４６ｄ，４６ｆが、切欠き部４０ｃ，４０ｂ，４０ａの内側にそれぞれ位置している。そして、図１１も併せて参照すると、突出部４６ａ，４６ｃ，４６ｅが回路基板３２に当接し、回路基板３２の位置を決定しており、突出部４６ａ，４６ｃ，４６ｅが１組の位置決め部を構成している。
【００３３】
一方、回路基板３２が上下逆にされた結果、リード部２４ａ，２６ａと導体部３４，３６との距離関係も逆転している。そして、第１同軸コネクタ２４のリード部２４ａは、より近い導体部３６に接続され、第２同軸コネクタ２６のリード部２６ａは、より近い導体部３４に接続されている。
従って、テレビチューナ５０では、第１同軸コネクタ２４がＬ／Ｔ端子として機能し、第２同軸コネクタ２６が、アンテナ入力端子として機能する。
【００３４】
上述したように、第１実施形態のテレビチューナ１０では、回路基板３２の一方の面（第１の面）が上カバー１４を向いた第１配置で収容され、第２実施形態のテレビチューナ５０では、回路基板３２の他方の面（第２の面）が上カバー１４を向いた第２配置で収容されている。つまり、枠体１８が回路基板３２を２通りの配置にて収容可能である。そして、第１同軸コネクタ２４と第２同軸コネクタ２６との中間点、及び、導体部３４と導体部３６との中間点は、枠体１８の側面の長手方向の中心に位置している。
【００３５】
これらの中間点の位置関係に基づいて、第１配置と第２配置とでは、第１同軸コネクタ２４と第２同軸コネクタ２６とを区別せず、導体部３４と導体部３６とを区別しなければ、枠体１８の側面の長手方向でみて、２つの同軸コネクタと２つの導体部との相対的な位置関係が変化しない。このため、第１配置及び第２配置の何れにおいても、２つの導体部が、２つの同軸コネクタのうちの自身と近接する方に確実且つ容易に接続される。
【００３６】
従って、テレビチューナ１０及びテレビチューナ５０では、第１配置及び第２配置のうちいずれを選択するかによって、第１同軸コネクタ２４及び第２同軸コネクタ２６に付与する機能が決定される、仕様が容易に変更される。そして、共通の回路基板３２及び枠体１８を用いることによって、回路基板３２や枠体１８を新たに設計するための時間及び費用がかからず、仕様の異なるテレビチューナ１０及びテレビチューナ５０が安価にて提供される。
なお、テレビチューナ１０とテレビチューナ５０とでは、端子２２の位置も変更されており、テレビチューナ１０（右伏せ型）及びテレビチューナ５０（左伏せ型）のうちからセット基板に最適な方を選択可能である。
【００３７】
また、テレビチューナ１０で採用された第１配置のときには、枠体１８の突出部４６ｂ，４６ｄ，４６ｆが回路基板３２に当接するとともに、回路基板３２の切欠き部４０ａ，４０ｂ，４０ｃが、枠体１８の突出部４６ａ，４６ｃ，４６ｅの通過を許容する。一方、テレビチューナ５０で採用された第２配置のときには、枠体１８の突出部４６ａ，４６ｃ，４６ｅが回路基板３２に当接するとともに、回路基板３２の切欠き部４０ｃ，４０ｂ，４０ａが、枠体１８の突出部４６ｂ，４６ｄ，４６ｆの通過を許容する。
【００３８】
ここで、第１配置と第２配置とで、回路基板３２の厚さ方向、換言すれば、筐体１２の高さ方向での、枠体１８に対する回路基板３２の相対的な位置が異なっている。これによって、上カバー１４と下カバー１６との間の空間が狭くても、当該空間が有効に活用され、回路基板３２と上カバー１４又は下カバー１６との間に、ＩＣチップ３８等の大型の電気部品を収容するための空間が確保される。
従って、テレビチューナ１０及びテレビチューナ５０によれば、同一の回路基板３２及び枠体１８を用いながら、回路基板３２の厚さ方向での枠体１８の大型化が防止され、テレビチューナ１０及びテレビチューナ５０の大型化が防止される。
【００３９】
本発明は、上述した第１実施形態及び第２実施形態に限定されることはなく、これら実施形態に変更を加えた形態も含む。
図１２は、第３実施形態に係る回路基板３２を示している。この回路基板３２では、コネクタブロック３０及び端子２２の配置が、第１実施形態及び第２実施形態と異なっている。
【００４０】
一方、図１３は、第４実施形態に係る回路基板３２を示している。この回路基板３２は、コネクタブロック３０及び端子２２を除いて、上下逆にされている。つまり、第３実施形態と第４実施形態との関係は、第１実施形態と第２実施形態との関係に等しい。第３実施形態及び第４実施形態によれば、端子２２の位置を変えることなく、第１同軸コネクタ２４と第２同軸コネクタ２６の機能が入れ替えられる。また、各端子２２に割り当てられる機能も入れ替えられる。
【００４１】
図１４は、第１乃至第４実施形態のいずれにも適用可能な変形例を説明するための概略的な部分断面図である。当該変形例では、第１同軸コネクタ２４及び第２同軸コネクタ２６のリード部２４ｂ，２６ｂの先端側が直角に折り曲げられ、リード部２４ｂ，２６ｂがＬ字形状をなしている。
一方、回路基板３２には、筐体１２の高さ方向にてリード部２４ｂ，２６ｂが投影される領域にスリット６０が形成されている。スリット６０は、導体部３４，３６に部分的に重なっており、リード部２４ｂ，２６ｂの先端側の側面が、半田６２によって導体部３４，３６に固定されている。
【００４２】
この変形例では、第１同軸コネクタ２４及び第２同軸コネクタ２６が枠体１８に予め取り付けられた状態で、枠体１８内に回路基板３２を設置するとき、スリット６０が第１同軸コネクタ２４及び第２同軸コネクタ２６のリード部２４ｂ，２６ｂの通過を許容する。このため、この変形例を適用すれば、テレビチューナ１０，５０の組立作業の自由度が高くなり、テレビチューナ１０，５０が容易に組み立てられる。
【００４３】
そして、上述した第１乃至第４実施形態では、テレビチューナ１０，５０は、第１同軸コネクタ２４及び第２同軸コネクタ２６が左右に並ぶように画像表示装置に設置されていたが、第１同軸コネクタ２４及び第２同軸コネクタ２６は、画像表示装置において必ずしも左右に並んでいなくてもよい。
更に、上述した第１乃至第４実施形態では、第１同軸コネクタ２４及び第２同軸コネクタ２６が枠体１８に固定されていたが、回路基板３２に固定されていてもよい。
【００４４】
一方、上述した第１乃至第４実施形態では、３つの突出部４６ａ，４６ｃ，４６ｅ又は３つの突出部４６ｂ，４６ｄ，４６ｆが１組の位置決め部を構成していたが、位置決め部を構成する突出部の数は、３つに限定されることはない。従って、回路基板に形成される切欠きの数も３つに限定されることはない。更に、突出部４６及び切欠部４０の形状も矩形形状に限定されることはなく、例えば半円形状であってもよい。
【００４５】
上述した第１乃至第４実施形態では、枠体１８の２つの開口のうち両方から、枠体１８内に回路基板３２を配置することが可能であったが、一方の開口のみからしか回路基板３２を入れることができなくてもよい。このような場合として、例えば、枠体１８を補強するための桟等の補強部材が一方の開口側に取り付けられた場合が考えられる。テレビチューナ１０，５０では、補強部材が設けられた一方の開口から枠体１８内に回路基板３２を入れることができなくても、他方の開口から回路基板３２を入れることができる。
【００４６】
また、第１乃至第４実施形態では、回路基板３２が枠体１８の突出部４６に半田付けによって固定されていたが、回路基板３２を補助的に支持するために、枠体１８に弾性変形可能な切り起こしを更に形成してもよい。
最後に、本発明はテレビチューナに好適であるが、これ以外の高周波機器にも適用可能であることは勿論である。
【符号の説明】
【００４７】
１０                    テレビチューナ（高周波機器）
１２                    筐体（シールドケース）
１４                    上カバー（第１カバー）
１６                    下カバー（第２カバー）
１８                    枠体
２０                    突起（脚部）
２２                    端子
２４                    第１同軸コネクタ
２４ａ                  リード部
２６                    第２同軸コネクタ
２６ａ                  リード部
２８                    開口
３０                    コネクタブロック
３２                    回路基板
３４                    導体部（第１導体部）
３６                    導体部（第２導体部）
３８                    ＩＣチップ
４０                    切欠き部
４２，４４              取付孔
４６                    突出部（位置決め部）
【図１】
2011135024.tif 000003
【図２】
2011135024.tif 000004
【図３】
2011135024.tif 000005
【図４】
2011135024.tif 000006
【図５】
2011135024.tif 000007
【図６】
2011135024.tif 000008
【図７】
2011135024.tif 000009
【図８】
2011135024.tif 000010
【図９】
2011135024.tif 000011
【図１０】
2011135024.tif 000012
【図１１】
2011135024.tif 000013
【図１２】
2011135024.tif 000014
【図１３】
2011135024.tif 000015
【図１４】
2011135024.tif 000016